(57)【特許請求の範囲】
【請求項１】
壁面と床面とが交わる隅部であって、前記隅部を構成する壁面の両側に該壁面と鈍角で交わる壁面が連続する入隅部又は出隅部を構成する複合隅部に沿って取り付けられる内装パネル材を有する内装パネル構造において、
前記内装パネル材は、前記壁面に沿うように立設される固定片と該固定片の下端より水平方向に折曲形成されるガイド片とよりなり前記壁面側にて建物の下地材に固定される固定部と、該固定部のガイド片の先端から直角に折曲形成される垂直板と垂直板の先端から鈍角で折曲されて前記床面側に延設される傾斜板とよりなる平板部と、を備え、
前記内装パネル材は、前記固定部と前記平板部とが、前記隅部を構成する前記壁面の両側において該壁面と鈍角で交わる壁面に沿って、固定部を構成する前記固定片が折曲されて、鈍角で連続しており、前記平板部の傾斜板の下端縁は、床面を形成するモルタルの打設によって該モルタル内に埋設されていることを特徴とする内装パネル構造。
【発明の詳細な説明】
【技術分野】
【０００１】
本発明は下地材の表面に取り付けられる内装パネル材を有する内装パネル構造に関するものである。
【背景技術】
【０００２】
一般に、飲食店の厨房や食品加工場、あるいはクリーンルームなどの壁面や天井面などは、防火性、防水性、耐腐食性が良好であるとともに、衛生的な環境が保てるような清掃容易な表面材が施工される。この表面材には、例えば、ステンレス鋼板が使用される。
【０００３】
表面材は、平板状のステンレス鋼板の切断、析り曲げ、又は必要であれば溶接などにより形成された内装パネル材として形成されている。そして、上記厨房などの建築施工時に、建物の下地材を取り付けた後、この下地材に内装パネル材を固定し、順次連結しながら張り付ける。
【０００４】
ところで、上記建物内面には、入隅部および出隅部などの隅部が存在する。この隅部は、垂直面と水平面とが連なる部分であり直角に形成されている。このため、その隅部にはゴミ等の異物が付着し易く、且つ、清掃がし難い問題があった。
【０００５】
そこで、上記問題を解消すべく本願出願人は、内装パネル材として、壁面と床面とが交わる隅部に施工される幅木にかかり、下記特許文献１（特開２０００−２６５６５８号公報）にて開示されている幅木及びその施工方法を発明した。この幅木は、壁面と床面との交わる隅部にて、上端が壁面に固定され、下端が床面に固定されるその間に凹状の湾曲板部を有している。この幅木によれば、湾曲板部によって直角の隅部を無くしたので、ゴミ等の異物が付着し難くなり、且つ、清掃が容易となる。
また、壁面と床面とが交わる隅部に施工される幅木としては、下記特許文献２乃至４に記載されるものがある。
【特許文献１】特開２０００−２６５６５８号公報
【特許文献２】実開昭５８−８５０４０号公報
【特許文献３】実開昭５８−１９０５５０号公報
【特許文献４】特開平９−１３７５９５号公報
【発明の開示】
【発明が解決しようとする課題】
【０００６】
しかしながら、上述した特許文献１の内装パネル材は、湾曲板部の成形が容易でなく正確な寸法精度を得ることができなかった。
【０００７】
特に、壁面と床面とが交わる隅部に、壁面と壁面とが交わる隅部が複合する複合隅部においては、三次元に湾曲された湾曲板部が必要となって、その成形が容易でなく、手間とコストがかかるという問題があった。また、幅木に関わらず、その他の隅部および複合隅部に関しても同様に、湾曲板部の成形が難しかった。
【０００８】
そこで本発明は、上記課題を解消するために、隅部にかかり、異物の付着を防ぎ清掃性を向上するための構成を容易に得ることができる内装パネル材を有する内装パネル構造を提供することを目的としている。
【課題を解決するための手段】
【０００９】
上記目的を達成するため本発明による請求項１記載の内装パネル構造は、壁面と床面とが交わる隅部であって、前記隅部を構成する壁面の両側に該壁面と鈍角で交わる壁面が連続する入隅部又は出隅部を構成する複合隅部に沿って取り付けられる内装パネル材（幅木６）を有する内装パネル構造において、前記内装パネル材は、前記壁面に沿うように立設される固定片と該固定片の下端より水平方向に折曲形成されるガイド片とよりなり前記壁面側にて建物の下地材に固定される固定部と、該固定部のガイド片の先端から直角に折曲形成される垂直板と垂直板の先端から鈍角で折曲されて前記床面側に延設される傾斜板とよりなる平板部と、を備えている。
【００１０】
前記内装パネル材は、前記固定部と前記平板部とが、前記隅部を構成する前記壁面の両側において該壁面と鈍角で交わる壁面に沿って、固定部を構成する前記固定片が折曲されて、鈍角で連続している。
【００１１】
前記平板部の傾斜板の下端縁は、床面を形成するモルタルの打設によって該モルタル内に埋設されている。
【発明の効果】
【００１２】
以上説明した本発明の内装パネル構造に用いる内装パネル材は、建物内面の隅部となる部位の表面材として取り付けられ、隅部を鈍角で折曲げ構成する平板部を有してなる。これにより、ゴミなどの異物の付着を防ぐとともに、清掃性を向上することができる。また、平板部は、湾曲面を有せずに平面のみで構成されているので、上記効果を得るための構成を容易に得ることができる。
【００１３】
また、本発明によれば、壁面と床面とが交わる隅部であって、前記隅部を構成する壁面の両側に該壁面と鈍角で交わる壁面が連続する入隅部又は出隅部を構成する複合隅部に沿って取り付けられる内装パネル材を有する内装パネル構造において、前記内装パネル材は、前記壁面に沿うように立設される固定片と該固定片の下端より水平方向に折曲形成されるガイド片とよりなり前記壁面側にて建物の下地材に固定される固定部と、該固定部のガイド片の先端から直角に折曲形成される垂直板と垂直板の先端から鈍角で折曲されて前記床面側に延設される傾斜板とよりなる平板部と、を備え、固定部と前記平板部とが、前記隅部を構成する前記壁面の両側において該壁面と鈍角で交わる壁面に沿って、固定部を構成する前記固定片が折曲されて、鈍角で連続しているところから、ゴミなどの異物の付着を防ぐとともに、清掃性を向上することが可能となる。また、前記連続部分において、三次元方向の湾曲形成の必要がなく、湾曲面を有せずに平面のみで構成されているので、上記効果を得るための構成を容易に得ることが可能である。
【００１４】
さらに、本発明では、内装パネル材の折り曲げ下端を構成する傾斜板の下端縁を、床面を形成するモルタル内に埋設させることにより、内装パネル材の取付状態が一層安定し、傾斜板の表面と床面のモルタル表面とが隙間なく連続するところから、清掃性についても一層向上する。
【発明を実施するための最良の形態】
【００１５】
以下、本発明の実施の形態を図面を参照して具体的に説明する。
図１は本発明の内装パネル構造を有する建物内を示す斜視図である。
【００１６】
図１に示すように、内装パネル構造に用いる内装パネル材は、主に、建物内面である壁面Ａおよび天井面Ｂなどにおいて、表面材として施工される。この表面材には、例えば、不燃性金属であるステンレス鋼板が使用される。
【００１７】
壁面Ａおよび天井面Ｂにかかる内装パネル材には、方形状のパネル１が用いられている。図２に示すように、パネル１は、他のパネル１と隣接する端部が略Ｚ字形状に折曲された目地部１ａを有している。目地部１ａは、各パネル１同士で互いに重合されて下地材２の部位にて凹部３をなす。凹部３には、目地材４ａが挿入される。目地材４ａは、ネジ固定により重合された目地部１ａと共に下地材２に固定される。また、凹部３は、目地カバー４ｂの嵌挿により閉塞される。
【００１８】
上記パネル１は、それぞれ壁面Ａおよび天井面Ｂの平らな面に施工されるが、壁面Ａと床面Ｃとが交わる隅部（入隅部）、壁面Ａと壁面Ａとが交わる隅部（入隅部・出隅部）あるいは壁面Ａと天井面Ｂとが交わる隅部（入隅部）において、各々内装パネル材が取り付けられる。
【００１９】
まず、壁面Ａと床面Ｃとが交わる隅部（入隅部）にかかる内装パネル材について説明する。図３は壁面Ａと床面Ｃとが交わる隅部にかかる内装パネル材を示す斜視図である。
【００２０】
図３に示すように、壁面Ａと床面Ｃとが交わる隅部（入隅部）には、内装パネル材としての幅木６が設けられている。幅木６は、ステンレス鋼板などからなり、壁面Ａと床面Ｃとが交わる隅部に沿うように長手状に形成されている。幅木６は、長手方向の上端縁に固定部７を有している。固定部７は、固定片７ａとガイド片７ｂとからなる。固定片７ａは、壁面Ａに沿うように立設された板片をなし、下地材２の垂直面にネジ固定される。下地材２は、垂直ビーム材により構成されている。ガイド片７ｂは、固定片７ａの下端にて水平となるように折曲形成されている。ガイド片７ｂは、幅木６の長手方向に沿って所定幅Ｈをなす。このガイド片７ｂの幅Ｈは、壁面Ａに施工されるパネル１の厚さと略同じ寸法に形成されている。すなわち、ガイド片７ｂは、パネル１の厚みを納めるように形成されている。
【００２１】
固定部７の下側には、平板部８が折曲形成されている。本実施の形態での平板部８は、垂直板８ａと傾斜板８ｂとからなる。垂直板８ａは、ガイド片７ｂから略垂直に折曲されて壁面Ａと平行とされている。傾斜板８ｂは、垂直板８ａの下側に鈍角で折曲されて連続し、壁面Ａおよび床面Ｃに対して鈍角の関係とされている。なお、平板部８は、ガイド片７ｂから折曲する傾斜板８ｂのみで構成されていてもよい。
【００２２】
上記幅木６は、固定部７（固定片７ａ）を下地材２にネジ固定することで、平板部８の傾斜板８ｂが、壁面Ａと床面Ｃとが交わる隅部を覆う。そして、鈍角をなして折曲して連続する平板部８の傾斜板８ｂの下端縁をモルタル９の打設によって埋設する。これにより、壁面Ａと床面Ｃとが交わる隅部が、平板部８によって壁面Ａおよび床面Ｃに対して鈍角で構成される。また、平板部８は、ガイド片７ｂがパネル１の厚みを納めるので、壁面Ａに取り付けられるパネル１の外面に略面一に連続する。
【００２３】
このように、幅木６の平板部８によれば、壁面Ａと床面Ｃとが交わる入隅部が鈍角で構成されるので、ゴミなどの異物の付着を防ぐとともに、清掃性を向上することが可能となる。また、平板部８は、湾曲面を有せずに平面のみで構成されているので、上記効果を得るための構成を容易に得ることが可能である。
【００２４】
ところで、図４は壁面Ａと床面Ｃとが交わる隅部に、壁面Ａと壁面Ａとが交わる入隅部が複合する複合隅部にかかる内装パネル材を示す平面図である。
図４に示す内装パネル材は、前記幅木６を応用しており、壁面Ａと壁面Ａとが交わる入隅部において、上述した二つの幅木６の間に、幅木６’が設けられてなる。幅木６’は、上記幅木６と同様に固定部７’と平板部８’とを有している。固定部７’は、固定片７ａ’とガイド片７ｂ’とからなる。固定片７ａ’は、各幅木６の各固定片７ａに連続して設けられ、各壁面Ａに対して鈍角で折曲されている。ガイド片７ｂ’は、各幅木６の各ガイド片７ｂに連続して設けられ、固定片７ａ’の下端にて水平となるように折曲形成され所定幅Ｈをなす。また、平板部８’は、垂直板８ａ’と傾斜板８ｂ’とからなる。垂直板８ａ’は、各幅木６の各垂直板８ａに連続して設けられ、各壁面Ａに対して鈍角で折曲されている。傾斜板８ｂ’は、各幅木６の各垂直板８ｂに連続して設けられ、床面Ｃおよび各壁面Ａに対して鈍角で折曲されている。すなわち、壁面Ａと床面Ｃとが交わる隅部が、幅木６の平板部８によって壁面Ａおよび床面Ｃに対して鈍角で構成され、且つ、壁面Ａと壁面Ａとが交わる入隅部が、鈍角で連続する平板部８’によって各壁面Ａに対して鈍角で構成される。
【００２５】
また、図５は壁面Ａと床面Ｃとが交わる隅部に、壁面Ａと壁面Ａとが交わる出隅部が複合する複合隅部にかかる内装パネル材を示す平面図である。
図５に示す内装パネル材は、前記幅木６を応用しており、壁面Ａと壁面Ａとが交わる出隅部において、上述した二つの幅木６の間に、幅木６”が設けられてなる。幅木６”は、上記幅木６と同様に固定部７”と平板部８”とを有している。固定部７”は、固定片７ａ”とガイド片７ｂ”とからなる。固定片７ａ”は、各幅木６の各固定片７ａに連続して設けられ、各壁面Ａに対して鈍角で折曲されている。ガイド片７ｂ”は、各幅木６の各ガイド片７ｂに連続して設けられ、固定片７ａ”の下端にて水平となるように折曲形成され所定幅Ｈをなす。また、平板部８”は、垂直板８ａ”と傾斜板８ｂ”とからなる。垂直板８ａ”は、各幅木６の各垂直板８ａに連続して設けられ、各壁面Ａに対して鈍角で折曲されている。傾斜板８ｂ”は、各幅木６の各垂直板８ｂに連続して設けられ、床面Ｃおよび各壁面Ａに対して鈍角で折曲されている。すなわち、壁面Ａと床面Ｃとが交わる隅部が、幅木６の平板部８によって壁面Ａおよび床面Ｃに対して鈍角で構成され、且つ、壁面Ａと壁面Ａとが交わる出隅部が、鈍角で連続する平板部８”によって各壁面Ａに対して鈍角で構成される。
【００２６】
このように、幅木６’，幅木６”の平板部８’，平板部８”によれば、壁面Ａと床面Ｃとが交わる入隅部に、壁面Ａと壁面Ａとが交わる入隅部や出隅部が複合する複合隅部が鈍角で構成されるので、ゴミなどの異物の付着を防ぐとともに、清掃性を向上することが可能となる。また、平板部８’，平板部８”は、湾曲面を有せずに平面のみで構成されているので、上記効果を得るための構成を容易に得ることが可能である。
【００２７】
次に、壁面Ａと壁面Ａとが交わる隅部（入隅部・出隅部）にかかる内装パネル材について説明する。図６は壁面Ａと壁面Ａとが交わる入隅部にかかる内装パネル材を示す平面図である。
【００２８】
図６に示すように、壁面Ａと壁面Ａとが交わる入隅部には、内装パネル材としての入隅部連結材１０が設けられている。入隅部連結材１０は、ステンレス鋼板などからなり、壁面Ａと壁面Ａとが交わる入隅部に沿うように長手状に形成されている。入隅部連結材１０は、長手方向の両側端縁にそれぞれ固定部１１を有している。各固定部１１は、固定片１１ａとガイド片１１ｂとからなる。固定片１１ａは、壁面Ａに沿う板片をなしている。各固定片１１ａは、平面視で互いに垂直な関係にあり、各壁面Ａ側の下地材２にそれぞれネジ固定される。ガイド片１１ｂは、各固定片１１ａに直角に折曲され、入隅部連結材１０の長手方向に沿って所定幅Ｈをなす。このガイド片１１ｂの幅Ｈは、壁面Ａに施工されるパネル１の厚さと略同じ寸法に形成されている。すなわち、ガイド片１１ｂは、パネル１の厚みを納めるように形成されている。
【００２９】
各固定部１１の間には、各固定部１１を連結し、入隅部連結材１０の長手方向に沿って設けられた平板部１２が折曲形成されている。平板部１２は、各ガイド片１１ｂに連続して設けられ、各壁面Ａに対して鈍角で折曲されている。
【００３０】
上記入隅部連結材１０は、各固定部１１（固定片１１ａ）を下地材２にネジ固定することで、各壁面Ａが交わる入隅部を覆う。これにより、壁面Ａと壁面Ａとが交わる入隅部が、平板部１２によって各壁面Ａに対して鈍角で構成される。この平板部１２は、ガイド片１１ｂがパネル１の厚みを納めるので、各壁面Ａに取り付けられるパネル１の外面に鈍角で連続する。なお、入隅部連結材１０は、その下端部にて、壁面Ａと床面Ｃとが交わる隅部に、壁面Ａと壁面Ａとが交わる入隅部が複合する複合隅部にかかる上記幅木６’に略面一に連結される。
【００３１】
このように、入隅部連結部材１０の平板部１２によれば、壁面Ａと壁面Ａとが交わる入隅部が鈍角で構成されるので、ゴミなどの異物の付着を防ぐとともに、清掃性を向上することが可能となる。また、平板部１２は、湾曲面を有せずに平面のみで構成されているので、上記効果を得るための構成を容易に得ることが可能である。
【００３２】
図７は壁面Ａと壁面Ａとが交わる出隅部にかかる内装パネル材を示す平面図である。
図７に示すように、壁面Ａと壁面Ａとが交わる出隅部には、内装パネル材としての出隅部連結材１４が設けられている。出隅部連結材１４は、ステンレス鋼板などからなり、壁面Ａと壁面Ａとが交わる出隅部に沿うように長手状に形成されている。出隅部連結材１４は、長手方向の両側端縁にそれぞれ固定部１５を有している。各固定部１５は、固定片１５ａとガイド片１５ｂとからなる。固定片１５ａは、壁面Ａに沿う板片をなしている。各固定片１５ａは、平面視で互いに垂直な関係にあり、各壁面Ａ側の下地材２にそれぞれネジ固定される。ガイド片１５ｂは、各固定片１５ａに直角に折曲され、出隅部連結材１４の長手方向に沿って所定幅Ｈをなす。このガイド片１５ｂの幅Ｈは、壁面Ａに施工されるパネル１の厚さと略同じ寸法に形成されている。すなわち、ガイド片１５ｂは、パネル１の厚みを納めるように形成されている。
【００３３】
各固定部１５の間には、各固定部１５を連結し、出隅部連結材１４の長手方向に沿って設けられた平板部１６が折曲形成されている。平板部１６は、各ガイド片１５ｂに連続して設けられ、各壁面Ａに対して鈍角で折曲されている。
【００３４】
上記出隅部連結材１４は、各固定部１５（固定片１５ａ）を下地材２にネジ固定することで、各壁面Ａが交わる出隅部を覆う。これにより、壁面Ａと壁面Ａとが交わる出隅部が、平板部１６によって各壁面Ａに対して鈍角で構成される。この平板部１６は、ガイド片１５ｂがパネル１の厚みを納めるので、各壁面Ａに取り付けられるパネル１の外面に鈍角で連続する。なお、出隅部連結材１４は、その下端部にて、壁面Ａと床面Ｃとが交わる隅部に、壁面Ａと壁面Ａとが交わる入隅部が複合する複合隅部にかかる上記幅木６”に略面一に連結される。
【００３５】
このように、出隅部連結部材１４の平板部１６によれば、壁面Ａと壁面Ａとが交わる出隅部が鈍角で構成されるので、ゴミなどの異物の付着を防ぐとともに、清掃性を向上することが可能となる。また、平板部１６は、湾曲面を有せずに平面のみで構成されているので、上記効果を得るための構成を容易に得ることが可能である。
【００３６】
次に、壁面Ａと天井面Ｂが交わる隅部（入隅部）にかかる内装パネル材について説明する。図８は壁面Ａと天井面Ｂとが交わる隅部にかかる内装パネル材を示す断面図である。
【００３７】
図８に示すように、壁面Ａと天井面Ｂとが交わる隅部（入隅部）には、内装パネル材としての天井隅部連結材１８が設けられている。天井隅部連結材１８は、ステンレス鋼板などからなり、壁面Ａと天井面Ｂとが交わる隅部に沿うように長手状に形成されている。天井隅部連結材１８は、長手方向の上端縁および下端縁にそれぞれ固定部１９を有している。各固定部１９は、固定片１９ａとガイド片１９ｂとからなる。固定片１９ａは、壁面Ａと天井面Ｂとにそれぞれ沿う板片をなしている。各固定片１９ａは、側面視で互いに垂直な関係にあり、壁面Ａ側と天井面Ｂ側の下地材２にそれぞれネジ固定される。ガイド片１９ｂは、各固定片１９ａに直角に折曲され、天井隅部連結材１８の長手方向に沿って所定幅Ｈをなす。このガイド片１９ｂの幅Ｈは、壁面Ａと天井面Ｂに施工される各パネル１の厚さと略同じ寸法に形成されている。すなわち、ガイド片１９ｂは、パネル１の厚みを納めるように形成されている。
【００３８】
各固定部１９の間には、各固定部１９を連結し、天井隅部連結材１８の長手方向に沿って設けられた平板部２０が折曲形成されている。平板部２０は、各ガイド片１９ｂに連続して設けられ、壁面Ａおよび天井面Ｂに対して鈍角で折曲されている。本実施の形態での平板部２０は、垂直板２０ａと傾斜板２０ｂとからなる。垂直板２０ａは、各ガイド片１９ｂから略垂直に折曲されて壁面Ａと天井面Ｂとに平行とされている。傾斜板２０ｂは、各垂直板２０ａに連続して設けられ、壁面Ａおよび天井面Ｂに対して鈍角で折曲されている。なお、平板部２０は、ガイド片１９ｂから折曲する傾斜板２０ｂのみで構成されていてもよい。
【００３９】
上記天井隅部連結材１８は、各固定部１９（固定片１９ａ）を下地材２にネジ固定することで、平板部２０の傾斜板２０ｂが、壁面Ａと天井面Ｂとが交わる隅部を覆う。これにより、壁面Ａと天井面Ｂとが交わる隅部が、平板部２０によって壁面Ａおよび天井面Ｂに対して鈍角で構成される。また、平板部２０は、ガイド片１９ｂがパネル１の厚みを納めるので、壁面Ａおよび天井面Ｂに取り付けられるパネル１の外面に略面一に連続する。
【００４０】
このように、天井隅部連結材１８の平板部２０によれば、壁面Ａと天井面Ｂとが交わる入隅部が鈍角で構成されるので、ゴミなどの異物の付着を防ぐとともに、清掃性を向上することが可能となる。また、平板部２０は、湾曲面を有せずに平面のみで構成されているので、上記効果を得るための構成を容易に得ることが可能である。
【００４１】
ところで、図９は壁面Ａと天井面Ｂとが交わる隅部に、壁面Ａと壁面Ａとが交わる入隅部が複合する複合隅部にかかる内装パネル材を示す底面図である。
図９に示す内装パネル材は、前記天井隅部連結材１８を応用しており、壁面Ａと壁面Ａとが交わる入隅部において、上述した二つの天井隅部連結材１８の間に、天井隅部連結材１８’が設けられてなる。天井隅部連結材１８’は、上記天井隅部連結材１８と同様に固定部１９’と平板部２０’とを有している。固定部１９’は、固定片１９ａ’とガイド片１９ｂ’とからなる。固定片１９ａ’は、各天井隅部連結材１８の各固定片１９ａに連続して設けられ、各壁面Ａに対して鈍角で折曲されている。ガイド片１９ｂ’は、各天井隅部連結材１８の各ガイド片１９ｂに連続して設けられ、固定片１９ａ’に直角に折曲され、天井隅部連結材１８の長手方向に沿って所定幅Ｈをなす。また、平板部２０’は、垂直板２０ａ’と傾斜板２０ｂ’とからなる。垂直板２０ａ’は、各天井隅部連結材１８の各垂直板２０ａに連続して設けられ、各壁面Ａに対して鈍角で折曲されている。傾斜板２０ｂ’は、各天井隅部連結材１８の各垂直板２０ｂに連続して設けられ、天井面Ｂおよび各壁面Ａに対して鈍角で折曲されている。すなわち、壁面Ａと天井面Ｂとが交わる隅部が、天井隅部連結材１８の平板部２０によって壁面Ａおよび天井面Ｂに対して鈍角で構成され、且つ、壁面Ａと壁面Ａとが交わる入隅部が、鈍角で連続する平板部２０’によって各壁面Ａに対して鈍角で構成される。なお、天井隅部連結材１８’は、固定部１９’が、上述した入隅部連結材１０の上端部に略面一に連結される。
【００４２】
また、図１０は壁面Ａと天井面Ｂとが交わる隅部に、壁面Ａと壁面Ａとが交わる出隅部が複合する複合隅部にかかる内装パネル材を示す底面図である。
図１０に示す内装パネル材は、前記天井隅部連結材１８を応用しており、壁面Ａと壁面Ａとが交わる出隅部において、上述した二つの天井隅部連結材１８の間に、天井隅部連結材１８”が設けられてなる。天井隅部連結材１８”は、上記天井隅部連結材１８と同様に固定部１９”と平板部２０”とを有している。固定部１９”は、固定片１９ａ”とガイド片１９ｂ”とからなる。固定片１９ａ”は、各天井隅部連結材１８の各固定片１９ａに連続して設けられ、各壁面Ａに対して鈍角で折曲されている。ガイド片１９ｂ”は、各天井隅部連結材１８の各ガイド片１９ｂに連続して設けられ、固定片１９ａ”に直角に折曲され、天井隅部連結材１８の長手方向に沿って所定幅Ｈをなす。また、平板部２０”は、垂直板２０ａ”と傾斜板２０ｂ”とからなる。垂直板２０ａ”は、各天井隅部連結材１８の各垂直板２０ａに連続して設けられ、各壁面Ａに対して鈍角で折曲されている。傾斜板２０ｂ”は、各天井隅部連結材１８の各垂直板２０ｂに連続して設けられ、天井面Ｂおよび各壁面Ａに対して鈍角で折曲されている。すなわち、壁面Ａと天井面Ｂとが交わる隅部が、天井隅部連結材１８の平板部２０によって壁面Ａおよび天井面Ｂに対して鈍角で構成され、且つ、壁面Ａと壁面Ａとが交わる出隅部が、鈍角で連続する平板部２０”によって各壁面Ａに対して鈍角で構成される。なお、天井隅部連結材１８”は、固定部１９”が、上述した出隅部連結材１４の上端部に略面一に連結される。
【００４３】
このように、天井隅部連結材１８’，天井隅部連結材１８”の平板部２０’，平板部２０”によれば、壁面Ａと天井面Ｂとが交わる入隅部に、壁面Ａと壁面Ａとが交わる入隅部や出隅部が複合する複合隅部が鈍角で構成されるので、ゴミなどの異物の付着を防ぐとともに、清掃性を向上することが可能となる。また、平板部２０’，平板部２０”は、湾曲面を有せずに平面のみで構成されているので、上記効果を得るための構成を容易に得ることが可能である。
【００４４】
なお、上述した実施の形態では、内装パネル材を構成する板材として、ステンレス鋼板を用いた例を述べたが、この板材は、耐火性、強度、加工性が良好であれば、例えば、アルミ鋼板やスチール鋼板であってもよい。また、上記板材に合成樹脂がコーティングされた樹脂鋼板であってもよい。
【図面の簡単な説明】
【００４５】
【図１】本発明の内装パネル材を用いた建物内を示す斜視図。
【図２】壁面および天井面にかかる内装パネル材を示す斜視図。
【図３】壁面と床面とが交わる隅部にかかる内装パネル材を示す斜視図。
【図４】壁面と床面とが交わる隅部に壁面と壁面とが交わる入隅部が複合する複合隅部にかかる内装パネル材を示す平面図。
【図５】壁面と床面とが交わる隅部に壁面と壁面とが交わる出隅部が複合する複合隅部にかかる内装パネル材を示す平面図。
【図６】壁面と壁面とが交わる入隅部にかかる内装パネル材を示す平面図。
【図７】壁面と壁面とが交わる出隅部にかかる内装パネル材を示す平面図。
【図８】壁面と天井面とが交わる隅部にかかる内装パネル材を示す断面図。
【図９】壁面と天井面とが交わる隅部に壁面と壁面とが交わる入隅部が複合する複合隅部にかかる内装パネル材を示す底面図。
【図１０】壁面と天井面とが交わる隅部に壁面と壁面とが交わる出隅部が複合する複合隅部にかかる内装パネル材を示す底面図。
【符号の説明】
【００４６】
７，７’，７”…固定部、８，８’，８”…平板部、１１…固定部、１２…平板部、１５…固定部、１６…平板部、１９，１９’，１９”…固定部、２０，２０’，２０”…平板部、Ａ…壁面、Ｂ…天井面、Ｃ…床面。
【図１】
0004567022.tif 000002
【図２】
0004567022.tif 000003
【図３】
0004567022.tif 000004
【図４】
0004567022.tif 000005
【図５】
0004567022.tif 000006
【図６】
0004567022.tif 000007
【図７】
0004567022.tif 000008
【図８】
0004567022.tif 000009
【図９】
0004567022.tif 000010
【図１０】
0004567022.tif 000011